(57)【要約】【課題】風除けカバーを固定し、ろうそく受け皿部を昇降自在に支持して、点火が容易で、火災の危険もなく安全な昇降式ろうそく立を提供するものである。【解決手段】上部が開口した透明円筒体で形成された風除けカバー７を台部６の上に立設し、風除けカバー７の側壁にスリット１１を縦方向に形成し、ろうそく受け皿部１２に、可動棒１５を横方向に突設し、ここに内周側押え板１６と外周側押え板１７を取付けると共に、ここに板バネ２１を介してストッパー２２を取付け、ろうそく受け皿部１２と内周側押え板１６とを風除けカバー７の内側に配置し、外周側押え板１７とストッパー２２を風除けカバー７の外側に配置するように可動棒１５をスリット１１に貫通させ、スリット１１の近傍の外側面にストッパー２２を弾性的に当接させて、内周側押え板１６と外周側押え板１７との間でスリット１１の近傍の側壁を両側から挟持したものである。【選択図】図１
2004356008.tif 000002
【特許請求の範囲】
【請求項１】
上部が開口した透明円筒体で形成された風除けカバーを台部の上に立設し、この風除けカバーの側壁にスリットを縦方向に形成し、ろうそく受け皿部に、可動棒を横方向に突設し、この可動棒に、その長手方向に沿って間隔をおいて内周側押え板と外周側押え板を取付けると共に、この外周側押え板に、弾性材を介してストッパーを取付け、前記ろうそく受け皿部と内周側押え板とを風除けカバーの内側に配置し、外周側押え板とストッパーを風除けカバーの外側に配置するように可動棒をスリットに上下動自在に貫通させ、スリットの近傍の外側面にストッパーを弾性的に当接させて、内周側押え板と外周側押え板との間でスリットの近傍の側壁を両側から挟持したことを特徴とする昇降式ろうそく立。
【請求項２】
風除けカバーの上部に、更に押えリングを取付け、これと台部とを連結棒で連結して、風除けカバーを台部に固定したことを特徴とする請求項１記載の昇降式ろうそく立。
【請求項３】
台部が石材で形成され、この上面に形成した円形の溝部に、風除けカバーが挿着されて、台部と一体に移動可能に形成されていることを特徴とする請求項１記載の昇降式ろうそく立。
【発明の詳細な説明】
【０００１】
【発明の属する技術分野】
本発明は透明な風除けのカバーを取付けた昇降式ろうそく立に関するものである。
【０００２】
【従来の技術】
神棚や仏壇、墓前などにろうそく立が取付けられているが、これはスタンド状のろうそく受け皿部に突設した支持針に、ろうそくの下部を差し込んで支持させてから点火している。このようにろうそくが露出している状態で燃えていると、風が吹いて炎が消えたり、ろうそくが倒れて近くのものに燃え移って火災になる危険性がある。
【０００３】
このため従来は、図８に示すように受け皿部１を設けたスタンド状のろうそく立２に、円筒状のガラスで形成された風除けカバー３を取付け、ろうそく４に点火する時には風除けカバー３を持ち上げて外し、点火してから風除けカバー３を被せるようにしたものがある。しかしながら、点火する場合や消すたびに、ガラス製の風除けカバー３を取外さなければならず面倒であった。また風除けカバー３はガラス製であるので、手に持って取外したり被せたり頻繁に行なうと、落として破損する恐れもあり、また戸外の墓前にセットすると紛失したりする恐れもあった。
【０００４】
【発明が解決しようとする課題】
本発明は上記問題を改善し、風除けカバーを固定し、ろうそく受け皿部を昇降自在に支持して、点火が容易で、火災の危険もなく安全で、しかもカバーの損傷や紛失を防止した昇降式ろうそく立を提供するものである。
【０００５】
【課題を解決するための手段】
本発明の請求項１記載の昇降式ろうそく立は、上部が開口した透明円筒体で形成された風除けカバーを台部の上に立設し、この風除けカバーの側壁にスリットを縦方向に形成し、ろうそく受け皿部に、可動棒を横方向に突設し、この可動棒に、その長手方向に沿って間隔をおいて内周側押え板と外周側押え板を取付けると共に、この外周側押え板に、弾性材を介してストッパーを取付け、前記ろうそく受け皿部と内周側押え板とを風除けカバーの内側に配置し、外周側押え板とストッパーを風除けカバーの外側に配置するように可動棒をスリットに上下動自在に貫通させ、スリットの近傍の外側面にストッパーを弾性的に当接させて、内周側押え板と外周側押え板との間でスリットの近傍の側壁を両側から挟持したことを特徴とするものである。
【０００６】
本発明の請求項２記載の昇降式ろうそく立は、請求項１記載の昇降式ろうそく立において、風除けカバーの上部に、更に押えリングを取付け、これと台部とを連結棒で連結して、風除けカバーを台部に固定したことを特徴とするものである。
【０００７】
また請求項３記載の昇降式ろうそく立は、台部が石材で形成され、この上面に形成した円形の溝部に、風除けカバーが挿着されて、台部と一体に移動可能に形成されていることを特徴とするものである。
【０００８】
【発明の実施の形態】
以下本発明の実施の一形態を図１ないし図６を参照して詳細に説明する。図において５は昇降式ろうそく立を示すもので、これは金属板で形成された台部６の上に、上部を開口したガラス製の風除けカバー７が取付けられている。この風除けカバー７は、上部に押えリング９が被せられ、この底面に接続した連結棒１０、１０の下端が図２に示すように、前記台部６の底面に接続されて、透明な風除けカバー７を台部６に固定している。この風除けカバー７の側壁には、縦方向に沿ってスリット１１が形成されている。
【０００９】
また１２はろうそく受け皿部で、この底部に円柱状の支持部１３が形成されこの側面に横方向に可動棒１５が突設されている。この可動棒１５の中間には、図４に示すように平面がＨ形状のブロック１８が取付けられ、連結片１９で連結された一方の片を内周側押え板１６、他方の片を外周側押え板１７としている。
【００１０】
また外周側押え板１７の他方の側面には、図２に示すように湾曲した板バネ２１が取付けられ、この上部に金属板をＳ字形に湾曲させたストッパー２２が連結されている。またストッパー２２の下方の可動棒１５にはコイル２０が取付けられている。
【００１１】
この可動棒１５は、図３および図４に示すように、中間の平面Ｈ形状のブロック１８の連結片１９を風除けカバー７のスリット１１に貫通させ、ろうそく受け皿部１２と内周側押え板１６を風除けカバー７の内側に配置し、また外周側押え板１７とストッパー２２を風除けカバー７の外側に配置して上下動自在に支持し、ストッパー２２の先端がスリット１１に沿った側壁に当接するように取付ける。なお図２において、２３は金属板で形成された台部６の底面に突設した取付けパイプで、この取付けパイプ２３を、墓前に設置した石材製の香炉の底板２４などに開孔した取付け孔２５に挿着して支持する。
【００１２】
上記構成の昇降式ろうそく立５は、図３に示すように、ろうそく受け皿部１２を支持する可動棒１５が、外周側押え板１７に取付けたストッパー２２により風除けカバー７に弾性的に支持される。つまり、ストッパー２２が風除けカバー７の側面にＡ点で当接すると、平面Ｈ形状のブロック１８はやや斜めに傾いて、図４に示すように内周側押え板１６の上部が風除けカバー７の内周にＢ点で当接する。また外周側押え板１７の下部はＣ点で当接する。
【００１３】
このＣ点は図５に示すように、外周側押え板１７と連結片１９とのコーナー部に、風除けカバー７のスリット１１のエッジが食い込んだ状態となる。従ってスリット１１の片側では、図３に示すようにＡ、Ｂ、Ｃの３点で両側から挟持された状態となり、ろうそく受け皿部１２を取付けた可動棒１５が風除けカバー７に支持される。
【００１４】
次に図６に示すように、風除けカバー７の開口した上部からろうそく４を挿入してろうそく受け皿部１２に差し込んで支持する。この後、ろうそく４に点火してから、ストッパー２２と可動棒１５の端部側を、親指２６と人差し指２７でつまむと、板バネ２１により支持されたストッパー２２が回動して風除けカバー７の側壁面から離れる。この結果、平面Ｈ形状のブロック１８の内周側押え板１６と外周側押え板１７がほぼ垂直になり風除けカバー７から離れフリーな状態となるので、手を下げてくると可動棒１５と共にろうそく４を支持したろうそく受け皿部１２が下がってくる。
【００１５】
炎が風除けカバー７の内側に挿入されるまで下げたら、親指２６と人差し指２７を離すと、板バネ２１の弾性力によりストッパー２２が復帰して側壁に当接してろうそく４の高さが固定される。この結果、墓前に設置した石材製の香炉のように、風が吹く戸外に設置されていても、ろうそく４の周囲が風除けカバー７で囲われているので消えることがなく、また空気がスリット１１を通して風除けカバー７の下側から供給されるので、安定して燃焼させることができる。
【００１６】
また可動棒１５のストッパー２２の下方部分にはコイル２０が取付けられているので、ろうそく受け皿部１２がろうそく４の燃焼により加熱され、この熱が可動棒１５に伝達されても、放熱性の良いコイル２０で囲われているので指が触れても熱くない。
【００１７】
従って、ろうそく受け皿部１２を上昇させた状態で、ろうそく４に点火し、これを支持する可動棒１５の、風除けカバー７の外側に突設された端部を移動させるだけでろうそく４を昇降させることができるので、従来のように風除けカバー７を取外したり被せたりする手間が不要であり、また風除けカバー７が固定されているので、落として割ったり、紛失したりするのを防止できる。
【００１８】
なお図６において、台部６の底面に突設した取付けパイプ２３を、石材製の香炉の底板２４などに開孔した取付け孔２５に回転自在に挿着した構造では、ろうそく４に点火してから、風除けカバー７を回転させれば可動棒１５とストッパー２２を背面側に移動させることができる。
【００１９】
図７は本発明の他の実施の形態を示すもので、仏壇や神棚に設置する移動式の昇降式ろうそく立５を示すもので、ガラス製の風除けカバー７の下部を、円板状の石材で形成された台部６の上面に形成した円形の取付け溝２９に挿着して、接着剤で固定したものである。またスリット１１の上部には可動棒１５が抜けないように留め具３０が取付けられている。
【００２０】
この昇降式ろうそく立５は、簡単に移動できるので仏壇や神棚に設置する場合に好適で、しかも台部６は石材で形成されているので重心が低く安定性に優れている。
【００２１】
なお上記説明では風除けカバー７を形成する透明円筒体としてガラスを用いた場合について示したが、耐熱性のプラスチックで形成したものでも良い。
【００２２】
【発明の効果】
以上説明した如く本発明に係る請求項１記載の昇降式ろうそく立によれば、風除けカバーで囲われているので炎が消えることがなく、また空気がスリットを通して風除けカバー内に供給されるので、安定して燃焼させることができる。また風除けカバーの外側に突設された可動棒の端部を移動させるだけで、ろうそく受け皿部に取付けたろうそくを昇降させることができ、従来のように風除けカバーを取外したり被せたりする手間が不要な上、落として割ったり、紛失するのを防止することができる。
【００２３】
更に外周側押え板に弾性的に支持されたストッパーを上下方向に回動自在に取付け、このストッパーをスリットの近傍の外側面に当接させたので、ワンタッチで確実に保持することができる。
【００２４】
また請求項２記載の昇降式ろうそく立によれば、風除けカバーの上部に、更に押えリングを取付け、これと台部とを連結棒で連結して、風除けカバーが台部に固定されているので、屋外の香炉などに設置しても、風で倒れて破損したり紛失するのを防止できる。
【００２５】
更に請求項３記載の昇降式ろうそく立によれば、台部が石材で形成され、この上面に形成した円形の溝部に、風除けカバーが挿着されて一体に移動可能に形成されているので、仏壇や神棚に設置する場合に好適である。
【図面の簡単な説明】
【図１】本発明の実施の一形態による昇降式ろうそく立の斜視図である。
【図２】図１の縦断面図である。
【図３】図１の固定部分を拡大して示す側面図である。
【図４】図３のＩーＩ線断面図である。
【図５】図３のＩＩーＩＩ線断面図である。
【図６】ろうそくを昇降させている状態を示す断面図である。
【図７】本発明の他の実施の形態による移動形の昇降式ろうそく立を示す縦断面図である。
【図８】従来の風除けカバーを被せたろうそく立を示す斜視図である。
【符号の説明】
１        受け皿部
２        ろうそく立
３        風除けカバー
４        ろうそく
５        昇降式ろうそく立
６        台部
７        風除けカバー
９        押えリング
１０    連結棒
１１    スリット
１２    ろうそく受け皿部
１３    円柱状の支持部
１５    可動棒
１６    内周側押え板
１７    外周側押え板
１８    平面Ｈ形状のブロック
１９    連結片
２０    コイル
２１    板バネ
２２    ストッパー
２４    底板
２９    円形の取付け溝
【図１】
2004356008.tif 000003
【図２】
2004356008.tif 000004
【図３】
2004356008.tif 000005
【図４】
2004356008.tif 000006
【図５】
2004356008.tif 000007
【図６】
2004356008.tif 000008
【図７】
2004356008.tif 000009
【図８】
2004356008.tif 000010